(57)【要約】  【課題】  清掃作業者が握持し易く、小径の（細い）被清掃部を容易かつ確実に清掃することができる２層構造の清掃具を提供する。  【解決手段】  不織布製の薄い第１シート１１及び発泡ポリエチレン製の厚い第２シート１２を積層してなる清掃具１は、円筒状の被清掃部２の太さに応じて、第２シート１２に形成された複数の溝１２ａ，１２ａ，…部分が開いて、清掃具１の長さ方向に第１シート１１及び第２シート１２が屈曲し、第１シート１１が被清掃部２の周面に密着するため、被清掃部２が確実に清掃される。また、第２シート１２が厚い清掃具１は清掃作業者が握持し易いため、清掃作業が容易である。【選択図】      図３
2006325859.tif 000002
【特許請求の範囲】
【請求項１】
屈撓性を有する第１シートと、
該第１シートに積層され、前記第１シートより硬質の第２シートと
を備え、
前記第１シートで被清掃部を擦って清掃する清掃具であって、
前記第２シートの前記第１シートとは逆側の面に複数の溝が形成してあることを特徴とする清掃具。
【請求項２】
前記溝は、前記第２シートの厚さより浅いことを特徴とする請求項１に記載の清掃具。
【請求項３】
前記第１シートは不織布を用いてなり、
前記第２シートは、前記第１シートより厚い発泡ポリエチレンを用いてなることを特徴とする請求項１又は２に記載の清掃具。
【発明の詳細な説明】
【技術分野】
【０００１】
本発明は、壁面、床面等の被清掃部を擦って清掃する清掃具に関する。
【背景技術】
【０００２】
不織布及び／又はスポンジを用いてなるタワシ、織布を用いてなる雑巾等の清掃具は、浴室の床面、浴槽等の被清掃部を擦って清掃する際に使用される（特許文献１参照）。
【０００３】
物干し竿、シャワーホース等のように、小径の（細い）被清掃部を擦って清掃する場合、従来、被清掃部と密着し易いよう柔軟に変形する不織布、スポンジ等が用いられていた。
【特許文献１】特開２０００−１５２８２１号公報
【発明の開示】
【発明が解決しようとする課題】
【０００４】
しかしながら、柔軟な清掃具は不必要に変形し易いため、清掃作業者が握持し難いという問題があった。また、硬質な清掃具は容易に変形しないため、小径の被清掃部と密着し難く確実な清掃作業が行なえないという問題があった。
【０００５】
本発明は斯かる問題を解決するためになされたものであり、屈撓性を有する第１シートと、硬質な第２シートとを積層してあり、第２シート側に複数の溝が形成してあることにより、清掃作業者が握持し易く、しかも被清掃部の形状に応じて容易に変形する清掃具を提供することを目的とする。
【０００６】
本発明の他の目的は、第１シートと、複数の溝が形成してある第２シートとを積層してあることにより、第１シートと複数のスリットが形成してある第２シートとを積層してある場合に比べて第１シートと第２シートとが剥離し難い清掃具を提供することにある。
【０００７】
本発明の更に他の目的は、不織布を用いてなる薄い第１シートと、発泡ポリエチレンを用いてなる厚い第２シートとを積層してあることにより、材質が異なる第１シートと第２シートとを使い分けて被清掃部を清掃することができ、清掃作業者が更に握持し易く、しかもカビの発生を抑制することができる清掃具を提供することにある。
【課題を解決するための手段】
【０００８】
第１発明に係る清掃具は、屈撓性を有する第１シートと、該第１シートに積層され、前記第１シートより硬質の第２シートとを備え、前記第１シートで被清掃部を擦って清掃する清掃具であって、前記第２シートの前記第１シートとは逆側の面に複数の溝が形成してあることを特徴とする。
【０００９】
第２発明に係る清掃具は、前記溝は、前記第２シートの厚さより浅いことを特徴とする。
【００１０】
第３発明に係る清掃具は、前記第１シートは不織布を用いてなり、前記第２シートは、前記第１シートより厚い発泡ポリエチレンを用いてなることを特徴とする。
【００１１】
第１発明にあっては、小径の被清掃部を清掃する場合、清掃作業者は第２シートを握持し、第１シートで被清掃部を擦って清掃する。屈撓性を有する第１シートは、前記被清掃部の外径に応じて容易に変形し、硬質な第２シートは、複数の溝の部分が開くことによって、被清掃部の外径に応じて溝に交差する方向に容易に変形するため、清掃具は被清掃部に密着し易い。
【００１２】
更に、硬質な第２シートは、溝に対する平行方向には変形し難いため、第２シート及び第２シートに積層された第１シートが不必要に変形し難い。以上の結果、清掃作業者が清掃具を握持し易い。
【００１３】
第２発明にあっては、第１シートの一面と、第２シートの溝が形成されていない一面とが対向して積層されている。第２シートに例えばスリットが形成されている場合、スリットの深さは第２シートの厚さ以上であるため、第２シートと第１シートの連続的な接触面積が小さくなり、スリット部分から剥離し易くなる。一方、溝の深さは第２シートの厚さより小さいため、第２シートと第１シートの連続的な接触面積が大きくなり、第２シートの溝部分からの剥離が防止される。
【００１４】
第３発明にあっては、大径の被清掃部又は平面状の清掃部を有する被清掃部を清掃する場合に、該被清掃部を、不織布を用いてなる第１シートと発泡ポリエチレンを用いてなる第２シートとを使い分けて清掃可能である。また、第２シートが厚く硬質であるため清掃作業者が清掃具を握持し易い。更に、第１シートは多孔質であるため速乾性に優れ、第２シートは吸水性が低い。このため、第１シート及び第２シートは夫々長時間保水しない。
【発明の効果】
【００１５】
第１発明の清掃具によれば、小径の被清掃部の外径に応じて清掃具が容易に変形するため、被清掃部に密着する第１シートで被清掃部を擦って確実に清掃することができ、しかも、第２シートを清掃作業者が容易に握持することができるため、小径の被清掃部であっても清掃作業を容易に行なうことができる
【００１６】
第２発明の清掃具によれば、第１シートと第２シートとの連続的な接触面積が大きく、剥離し難いため、第２シートに複数の溝が形成されているにもかかわらず、清掃具は破損し難い。
【００１７】
第３発明の清掃具によれば、被清掃部の形状、材質、汚れの度合い等に応じて不織布製の第１シートと発泡ポリエチレン製の第２シートとを使い分けて清掃することができる。この結果、清掃の際に、被清掃部の損傷の抑制、液体洗剤の使用量の低減等が可能となる。また、硬く厚い第２シートを有し不必要に変形し難い清掃具を清掃作業者が確実に握持することができるため、被清掃部を容易に清掃することができる。更に、第１シート及び第２シートは夫々長時間保水しないため、第１シート及び／又は第２シートにカビが発生することを抑制することができる。
【発明を実施するための最良の形態】
【００１８】
以下、本発明を、その実施の形態を示す図面に基づいて詳述する。
【００１９】
図１は、本発明に係る清掃具１の第１シート１１側の構成を示す斜視図であり、図２は、第２シート１２側の構成を示す斜視図である。清掃具１は、清掃作業者が片手で握持／摘持可能な大きさ（長さ約１２０ｍｍ×幅約７０ｍｍ×厚さ最大約１４ｍｍ）の矩形板状のタワシであり、ポリエステル製の不織布を用いてなる第１シート１１と発泡ポリエチレンを用いてなる第２シート１２とが積層されている。
【００２０】
第１シート１１の一面には、夫々の長手方向が第１シート１１の幅方向に略平行な複数の起毛列１１ａ，１１ａ，…が形成されている。各起毛列１１ａは約２ｍｍの幅と約２ｍｍの高さとを有し、一対の起毛列１１ａ，１１ａが約１ｍｍ離隔して、また、一対の起毛列１１ａ，１１ａ同士が約４ｍｍ離隔して、第１シート１１の長さ方向に規則的に並置されている。一方、第１シート１１の他面側は起毛しておらず、起毛していない第１シート１１の他面と第２シート１２の一面とが接着剤により接着してある。第１シート１１の厚さは、起毛列１１ａの高さを除いて約２ｍｍである。
【００２１】
第２シート１２の長さ及び幅は第１シート１１の長さ及び幅と略同一であり、厚さは約１０ｍｍである。第２シート１２の他面には、夫々の長手方向が第２シート１２の幅方向に沿う深さ約８ｍｍの複数の溝１２ａ，１２ａ，…が、第２シート１２の長さ方向に約１０ｍｍのピッチで互いに略平行に形成されている。また、各溝１２ａの深さ方向の両側に、一対の起毛列１１ａ，１１ａが配置してある。
【００２２】
一般に、発泡ポリエチレン製の厚いシートは、例えば薄い不織布に比べて硬質であり変形し難いため、第２シート１２は第１シート１１の不必要な変形を抑制している。ただし、第２シート１２は溝１２ａ，１２ａ，…部分が開閉するため、第１シート１１及び第２シート１２は溝１２ａ，１２ａ，…の並置方向には容易に変形する。また、溝１２ａ，１２ａ，…の深さは第２シート１２の厚さより浅く、第１シート１１に対して約２ｍｍ離隔しているため第２シート１２は復元性を有し、開いた溝１２ａ，１２ａ，…部分が自動的に閉じて元の形状に復元する。
【００２３】
このような清掃具１は、例えば、発泡ポリエチレン製シートの一面に、起毛列１１ａ，１１ａ，…を有する面を上面とした不織布を積層し、次に、該不織布が積層された前記シートの他面に複数の切れ込みを略平行に入れて溝１２ａ，１２ａ，…を形成し、最後に、前記不織布及び前記シートの積層体を、長辺が起毛列に略垂直に、短辺が起毛列に略平行になるよう約１２０ｍｍ×約７０ｍｍに裁断して形成する。
【００２４】
清掃具１を用いて平面状の被清掃部、又は緩やかな曲面状の被清掃部（例えば浴槽、洗面器等）を清掃する場合、清掃作業者は、第１シート１１及び第２シート１２の一方を掌側にして片手で清掃具１を握持し、他方を被清掃部に密着させて、被清掃部を擦る。
【００２５】
図３は、清掃具１を用いて円筒状の被清掃部２を清掃している状態を示す説明図である。清掃具１を用いて、シャワーホース、物干し竿等の小径の（細い）円筒状の被清掃部２を清掃する場合、清掃作業者は、第２シート１２を掌側にして片手で清掃具１を握持し、第２シート１２の溝１２ａ，１２ａ，…が被清掃部２の軸方向に沿うようにして、第１シート１１の長さ方向中央部を被清掃部２の周面に接触させる。このとき、溝１２ａ，１２ａ，…部分が開くことによって、第２シート１２が被清掃部２の形状（更に詳細には被清掃部２の太さ）に応じて容易に変形する。また、第１シート１１は薄く屈撓性を有するため容易に屈曲し、又は撓み、しかも第２シート１２が第１シート１１の変形を阻害しないため、被清掃部２の形状に応じて容易に変形し、被清掃部２に密着する。清掃作業者は、第１シート１１を被清掃部２に密着させて、被清掃部２を擦る。
【００２６】
なお、図３においては、周長が清掃具１の長さより短い円筒状の被清掃部２を例示しているが、これに限らず、円柱状の被清掃部２、円錐状の被清掃部２等でもよい。また、周長が清掃具１の長さより長い被清掃部２でもよい。
【００２７】
以上のような清掃具１は、被清掃部の形状、特に小径の被清掃部の外径に応じて容易に変形させることができ、しかも、第２シート１２が適宜に厚く硬質であるため不必要に変形することがなく、清掃作業者が容易に握持することができる。この結果、被清掃部を容易に、かつ確実に清掃することができる。また、第１シート１１と第２シート１２との連続的な接着面積が大きく、溝１２ａ，１２ａ，…の部分から剥離し難いため、第２シート１２に複数の溝１２ａ，１２ａ，…が形成されているにもかかわらず、清掃具１は破損し難く、長期間にわたって使用することができる。
【００２８】
また、第１シート１１は多孔質であるため液体洗剤を多量に含むことができ、しかも泡立て易く、この結果、被清掃部の擦り洗いに適している。このような第１シート１１は、例えばウレタン製のスポンジよりも硬質であり、しかも起毛列１１ａ，１１ａ，…が形成してあるため、被清掃部に対する摩擦力が大きい。この結果、第１シート１１は汚損が激しい被清掃部の清掃に適しており、更に、汚損が少ない被清掃部に対しては、液体洗剤の使用量を低減可能である。なお、第１シート１１を形成する繊維は、その長手方向に凸条部を有する異形断面繊維でも良く、この場合、第１シート１１の被清掃部に対する摩擦力が更に大きくなる。
【００２９】
一方、第２シート１２は、被清掃部に対する摩擦力が小さいため、第１シート１１に比べて被清掃部を傷つけにくく、また、傷がつきやすい被清掃部、汚損が少ない被清掃部等の清掃に適している。つまり、清掃具１は、被清掃部の形状、材質、汚れの度合い等に応じて第１シート１１と第２シート１２とを適宜に使い分けて清掃することができる。
【００３０】
清掃具１は容易に洗濯することができ、清掃具１に残留する液体洗剤、汚れ等を容易に除去することができる。また、第１シート１１は多孔質であるため、また、第２シート１２は吸水性が小さく内部に水分を含まないため、清掃具１は洗濯後に速やかに乾燥する。この結果、清掃具１を容易に清潔に保つことができ、しかも、清掃具１に水分が残留することによるカビの発生を抑制することができる。
【００３１】
なお、清掃具１は不織布及び発泡ポリエチレン製シート以外を用いて構成してもよく、第１シート１１及び第２シート１２の材質が同じでもよい。また、一般に清掃具１には水、液体洗剤等を含ませて用いるが、清掃具１が乾燥した状態で清掃してもよい。
【００３２】
溝１２ａ，１２ａ，…のピッチが大きすぎる（溝１２ａ，１２ａ，…の本数が少ない）場合、清掃具１が変形し難くなるため、前記ピッチは適宜に小さい方が望ましい。更に、溝１２ａ，１２ａ，…の深さが第２シート１２の厚さと略同じでもよく、各溝１２ａが適宜の幅を有してもよい。
【００３３】
本実施の形態においては溝１２ａ，１２ａ，…のピッチは等間隔であり、また、溝１２ａ，１２ａ，…は互いに平行に形成してあるが、これに限るものではない。図４は、本発明に係る清掃具１の第２シート１２側の他の構成を示す平面図である。図４（ａ）に示す清掃具１の第２シート１２には、長さ方向中央部のピッチが小さく、長さ方向両端部のピッチが大きくなるように溝１２ａ，１２ａ，…が形成してある。このような清掃具１は、長さ方向中央部と両端部とで変形量が異なるため、例えば断面形状が楕円形状の被清掃部の清掃に適している。一方、図４（ｂ）に示す清掃具１の第２シート１２には、放射状に溝１２ａ，１２ａ，…が形成してある。このような清掃具１は、例えば円錐状の被清掃部の清掃に適している。
【００３４】
更に、第２シート１２に、格子状の溝が形成してあってもよい。この場合、清掃具１は更に変形し易くなるが、第２シート１２の強度、保形性等が低下する。
【図面の簡単な説明】
【００３５】
【図１】本発明に係る清掃具の第１シート側の構成を示す斜視図である。
【図２】本発明に係る清掃具の第２シート側の構成を示す斜視図である。
【図３】本発明に係る清掃具を用いて円筒状の被清掃部を清掃している状態を示す説明図である。
【図４】本発明に係る清掃具の第２シート側の他の構成を示す平面図である。
【符号の説明】
【００３６】
１      清掃具
１１    第１シート
１２    第２シート
１２ａ  溝
２      被清掃部
【図１】
2006325859.tif 000003
【図２】
2006325859.tif 000004
【図３】
2006325859.tif 000005
【図４】
2006325859.tif 000006